(57)【要約】【課題】記録媒体にバーコードが付されていない場合でも簡易に視聴を可能とする。【解決手段】視聴システムは、編集装置１６とサーバ１８と視聴装置２０から構成される。編集装置１６は、記録媒体１２から視聴用データを抽出するとともに、記録媒体のレーベル面画像、もしくは記録媒体のジャケットの前面画像及び背面画像を用いて画像ＩＤを生成する。画像ＩＤと視聴用データを関連付けてサーバ１８に送信し記憶する。視聴時には、視聴装置２０に視聴を希望する記録媒体を装着し、同様にレーベル面画像、もしくはジャケットの画像から画像ＩＤを生成してサーバ１８に送信し、対応する視聴用データを読み出して視聴する。【選択図】図１
2010140376.tif 000002
【特許請求の範囲】
【請求項１】
編集装置と、
サーバと、
視聴装置と、
を有し、
前記編集装置は、
記録媒体から視聴用データを作成する手段と、
前記記録媒体に添付されたジャケットの画像あるいはレーベル面画像の少なくともいずれかから識別情報を生成する手段と、
前記視聴用データと前記識別情報とを関連づけて前記サーバに送信する手段と、
を有し、
前記サーバは、
前記編集装置から送信された前記視聴用データ及び前記識別情報を記憶する記憶手段と、
前記視聴装置から送信された検索キーとしての識別情報を受信し、前記識別情報に基づいて前記記憶手段を検索して対応する視聴用データを読み出して前記視聴装置に返信する手段と、
を有し、
前記視聴装置は、
視聴を希望する記録媒体に添付されたジャケットの画像あるいはレーベル面画像の少なくともいずれかから識別情報を生成する手段と、
生成した識別情報を検索キーとして前記サーバに送信する手段と、
前記サーバから返信された前記視聴用データを再生する手段と、
を有することを特徴とする視聴システム。
【請求項２】
請求項１記載のシステムにおいて、
前記編集装置の前記生成する手段及び前記視聴装置の前記生成する手段は、前記ジャケットの前面画像、背面画像、レーベル面画像の少なくともいずれかを用いて前記識別情報を生成することを特徴とする視聴システム。
【請求項３】
請求項２記載のシステムにおいて、
前記編集装置の前記生成する手段及び前記視聴装置の前記生成する手段は、前記ジャケットの前面画像、背面画像、レーベル面画像の少なくともいずれかの各位置毎の色データを用いて前記識別情報を生成することを特徴とする視聴システム。
【請求項４】
請求項２記載のシステムにおいて、前記編集装置の前記生成する手段及び前記視聴装置の前記生成する手段は、前記ジャケットの前面画像、背面画像、レーベル面画像の少なくともいずれかの各画素ブロック毎の色ヒストグラムデータを用いて前記識別情報を生成することを特徴とする視聴システム。
【請求項５】
請求項１記載のシステムにおいて、
前記記録媒体は、音楽データを記録した媒体であることを特徴とする視聴システム。
【請求項６】
請求項１記載のシステムにおいて、
前記記録媒体は、映像データを記録した媒体であることを特徴とする視聴システム。
【請求項７】
請求項６記載のシステムにおいて、
前記視聴用データは、予め作成された前記記録媒体の特典映像であり、
前記編集装置の前記作成する手段は、インターネットから前記特典映像を検索することで作成することを特徴とする視聴システム。
【請求項８】
視聴用データを作成してサーバに蓄積し、該サーバから前記視聴用データを送信して顧客に提供する視聴システムにおける編集装置であって、
記録媒体から視聴用データを作成する手段と、
前記記録媒体に添付されたジャケットの画像あるいはレーベル面画像の少なくともいずれかから識別情報を生成する手段と、
前記視聴用データと前記識別情報とを関連づけて前記サーバに送信する手段と、
を有することを特徴とする編集装置。
【請求項９】
請求項８記載の装置において、
前記生成する手段は、前記ジャケットの前面画像及び背面画像を用いて前記識別情報を生成することを特徴とする編集装置。
【請求項１０】
視聴用データを作成してサーバに蓄積し、該サーバから前記視聴用データを送信して顧客に提供する視聴システムにおける視聴装置であって、
視聴を希望する記録媒体に添付されたジャケットの画像あるいはレーベル面画像の少なくともいずれかから識別情報を生成する手段と、
生成した識別情報を検索キーとして前記サーバに送信する手段と、
前記サーバから返信された前記視聴用データを再生する手段と、
を有することを特徴とする視聴装置。
【請求項１１】
請求項１０記載のシステムにおいて、
前記生成する手段は、前記ジャケットの前面画像、背面画像、レーベル面画像の少なくともいずれかを用いて前記識別情報を生成することを特徴とする視聴装置。
【発明の詳細な説明】
【技術分野】
【０００１】
本発明は視聴システム及び編集装置並びに視聴装置に関し、特に音楽媒体等を販売する際に顧客に視聴させるシステムに関する。
【背景技術】
【０００２】
ＣＤ等の媒体を購入するに先立って、当該媒体に記録されている曲を試聴できるシステムが提案されている。
【０００３】
例えば、特許文献１には、顧客から音楽記録媒体の指定を受けた視聴機が、指定された音楽記録媒体の視聴用データと、視聴用データの再生動作を制御する実行プログラムとをサーバ２２に対して要求するステップと、要求を受けたサーバが視聴機へ実行プログラムと視聴用データとを送信するステップと、サーバから送信されてきた実行プログラムと視聴用データを受信した視聴機が、実行プログラムによる再生動作に従って視聴用データを再生するステップを有することが開示されている。音楽記録媒体を指定する方法として、音楽記録媒体に添付されたバーコードをバーコードリーダで読み取る方法が開示されている。
【０００４】
【特許文献１】特開２００２−１４００７９号公報
【発明の開示】
【発明が解決しようとする課題】
【０００５】
しかしながら、音楽記録媒体に添付されたバーコードを利用して所望の音楽記録媒体を指定していることからも分かるように、視聴用データの識別情報が、データベースに格納された視聴用データと実際の音楽記録媒体に対応するように、音楽記録媒体に予め添付されていることが前提となっている。したがって、いわゆる国内盤であればともかく、海外で生産され通常の国内の流通ルートを通らない、いわゆる輸入盤に関しては、このような識別情報を添付することができず、輸入盤については視聴することができない問題がある。
【０００６】
また、新品の音楽記録媒体を販売しない店の特性上、識別情報が添付された印刷物もしくはジャケット全てを除去してしまうレンタルショップにおいても、音楽記録媒体に識別情報が存在しないため同様に視聴することができない問題がある。
【０００７】
さらに、予め識別情報が音楽記録媒体に添付されていることが前提となることから、販売店側の独自の裁量により視聴用データのデータベースをカスタマイズすることも極めて煩雑あるいは実際上不可能となってしまう問題がある。すなわち、場所によって顧客の音楽嗜好も変化し得るものと考えられ、視聴用データのカテゴリーも販売店毎に顧客の嗜好に応じて変化させたいと欲するニーズがあるにもかかわらず、従来のシステムではこのようなニーズに応えることが困難である。
【課題を解決するための手段】
【０００８】
本発明の視聴システムは、編集装置と、サーバと、視聴装置とを有し、前記編集装置は、記録媒体から視聴用データを作成する手段と、前記記録媒体に添付されたジャケットの画像あるいはレーベル面画像の少なくともいずれかから識別情報を生成する手段と、前記視聴用データと前記識別情報とを関連づけて前記サーバに送信する手段とを有し、前記サーバは、前記編集装置から送信された前記視聴用データ及び前記識別情報を記憶する記憶手段と、前記視聴装置から送信された検索キーとしての識別情報を受信し、前記識別情報に基づいて前記記憶手段を検索して対応する視聴用データを読み出して前記視聴装置に返信する手段とを有し、前記視聴装置は、視聴を希望する記録媒体に添付されたジャケットの画像あるいはレーベル面画像の少なくともいずれかから識別情報を生成する手段と、生成した識別情報を検索キーとして前記サーバに送信する手段と、前記サーバから返信された前記視聴用データを再生する手段とを有することを特徴とする。
【０００９】
本発明の１つの実施形態では、前記編集装置の前記生成する手段及び前記視聴装置の前記生成する手段は、前記ジャケットの前面画像、背面画像、レーベル面画像の少なくともいずれかを用いて前記識別情報を生成する。
【００１０】
また、本発明の編集装置は、視聴用データを作成してサーバに蓄積し、該サーバから視聴用データを送信して顧客に提供する視聴システムにおける編集装置であって、記録媒体から視聴用データを作成する手段と、前記記録媒体に添付されたジャケットの画像あるいはレーベル面画像の少なくともいずれかから識別情報を生成する手段と、前記視聴用データと前記識別情報とを関連づけて前記サーバに送信する手段とを有することを特徴とする。
【００１１】
また、本発明の視聴装置は、視聴用データを作成してサーバに蓄積し、該サーバから前記視聴用データを送信して顧客に提供する視聴システムにおける視聴装置であって、視聴を希望する記録媒体に添付されたジャケットの画像あるいはレーベル面画像の少なくともいずれかから識別情報を生成する手段と、生成した識別情報を検索キーとして前記サーバに送信する手段と、前記サーバから返信された前記視聴用データを再生する手段とを有することを特徴とする。
【発明の効果】
【００１２】
本発明によれば、記録媒体に予めバーコードが付されていなくても、記録媒体に添付されたジャケットあるいはレーベル面の画像の少なくともいずれかを用いて識別情報を生成し、この識別情報を用いて視聴することが可能となる。
【発明を実施するための最良の形態】
【００１３】
以下、図面に基づき本発明の実施形態について説明する。
【００１４】
図１に、本実施形態における視聴システムの全体構成図を示す。本システムは、大別して編集を行う編集ユニットと、視聴を行う視聴ユニットから構成される。
【００１５】
まず、編集ユニットについて説明する。編集ユニットは、主に販売店側あるいはレンタルショップ側において操作するユニットである。編集ユニットは、未開封記録媒体１０のうちの記録媒体１２とジャケット入れプラスチックケース１４からデータを取り込んで編集する編集装置１６と、データベースとしてのサーバ１８から構成される。
【００１６】
編集装置１６は、記録媒体１２から各曲（トラック）の頭から所定時間、例えば４５秒前後のデータを抽出して装置内のメモリに一時的に保存する。また、編集装置１６は、ジャケット入れプラスチックケース１４から前面（フロント）及び背面（バック）のジャケットの画像データを取得し、所定のＩＤ作成処理に従って画像ＩＤを生成して装置内のメモリに一時的に保存する。そして、編集装置１６は、生成した画像ＩＤと視聴用データとをＩＤ付きの一つのパケットデータに編集し、サーバ１８に送信する。サーバ１８との間は有線あるいは無線のいずれでもよく、専用回線あるいはインターネット等の公衆回線のいずれでもよい。
【００１７】
サーバ１８は、編集装置１６から送信されたデータをメモリに順次格納することでデータベースを構築する。データベース内には、画像ＩＤ付きのパケットデータが複数記録される。各パケットデータをデータベースの各レコードとすると、画像ＩＤを検索キーとして指定すると、その画像ＩＤに対応した視聴用データを特定できる。
【００１８】
次に、視聴ユニットについて説明する。視聴ユニットは、主に販売店の顧客あるいはレンタルショップの顧客が操作するユニットである。視聴ユニットは、未開封記録媒体１０からデータを取り込んで視聴したい記録媒体を指定してサーバ１８に送信するとともに、サーバ１８から送信された視聴用データを受信して再生する視聴装置２０から構成される。
【００１９】
視聴装置２０は、視聴を希望する顧客が装着した未開封記録媒体１０のジャケットの前面（フロント）及び背面（バック）のジャケットの画像データを取得し、所定のＩＤ作成処理に従って画像ＩＤを生成してサーバ１８に送信する。視聴装置２０における所定のＩＤ作成処理は、既述した編集装置１６における所定のＩＤ作成処理と同一である。サーバ１８は、視聴装置２０から送信された画像ＩＤを受信し、これを検索キーとしてデータベースを検索して対応する視聴用データを読み出す。そして、読み出した視聴用データを視聴装置２０に返信する。視聴用データは圧縮されていてもよく、あるいは暗号化されていてもよい。視聴装置２０は、視聴用データが圧縮されている場合にはこれを伸長し、視聴用データが暗号化されている場合にはこれを復号して再生する。
【００２０】
本システムによれば、記録媒体にバーコードが添付されていなくても、記録媒体のジャケットの前面画像及び背面画像からＩＤを作成するので、いわゆる輸入盤、あるいはレンタルショップの記録媒体の視聴も可能である。また、視聴する顧客も、単に視聴を希望する記録媒体を視聴装置２０に装着するだけでよいので、極めて使い勝手がよい。
【００２１】
図２に、図１における編集装置１６の構成ブロック図を示す。編集装置１６は、汎用コンピュータで構成することができる。編集装置１６は、ハードディスクドライブ（ＨＤＤ）３０、スキャナ３２、ＣＤ／ＤＶＤ／Ｂｌｕ−ｒａｙ（登録商標：以下、ＢＤと記す）ドライブ３４、イヤフォン３６、操作部３８、送受信部４０、Ｉ／Ｏ（入出力インタフェース）４２、ＣＰＵ４４、メモリコントローラ４６、ＲＡＭ４８、ＲＯＭ５０、ディスプレイ５２を有する。ハードディスクドライブ（ＨＤＤ）３０等はＩ／Ｏ４２を介してバスに接続される。
【００２２】
ＣＤ／ＤＶＤ／ＢＤドライブ３４は、記録媒体１２に記録されたデータを再生する。ＣＰＵ４４は、再生したデータのうち各曲（トラック）の頭から所定時間のデータを視聴用データとして抽出してＲＡＭ４８に一時的に保存する。
【００２３】
スキャナ３２は、ジャケットの前面及び背面の画面を読み取る。ＣＰＵ４４は、読み取った画像データを所定のＩＤ作成処理プログラムに従って処理して画像ＩＤを生成する。ＣＰＵ４４は、生成した画像ＩＤをＲＡＭ４８に一時的に保存する。そして、同一記録媒体に対して抽出した視聴用データと生成した画像ＩＤとを関連付けて、一つのパケットデータに生成する。ＩＤ作成処理プログラムは、予めＲＯＭ５０、あるいはハードディスクドライブ３０に格納される。そして、ＣＰＵ４４は、送受信部４０を介してパケットデータをサーバ１８に送信する。サーバ１８は、受信したパケットデータをデータベース５４に順次格納する。
【００２４】
操作部３８は、記録媒体１２からのデータの再生や、ジャケットの画像データの読み取り等の指示信号を入力する。ＣＰＵ４４は、操作部３８からの操作信号に応じて上記の視聴用データ抽出や画像ＩＤ生成を実行する。
【００２５】
なお、図１における視聴装置２０も基本的には編集装置１６と同様の構成を有する。すなわち、スキャナ３２で顧客が視聴を希望する記録媒体のジャケットの画像を読み取り、読み取った画像データからＣＰＵ４４が画像ＩＤを生成する。ＣＰＵ４４は、生成した画像ＩＤを送受信部４０を介してサーバ１８に送信する。サーバ１８は、画像ＩＤに対する視聴用データをデータベース５４から読み出して視聴装置２０に返信する。ＣＰＵ２０は、受信した視聴用データをイヤフォン３６に送信して顧客に提供する。サーバ１８から受信した視聴用データをイヤフォン３６に送信するとともにハードディスクドライブ３０に送信し、画像ＩＤとともにハードディスクに格納してもよい。そして、スキャナ３２で読み取った画像データから生成された画像ＩＤをサーバ１８に送信するに先立ってハードディスク内を検索し、該当する画像ＩＤが存在するか否かを確認し、存在しない場合にのみ当該画像ＩＤをサーバ１８に送信してもよい。これは、ハードディスクをキャッシュメモリとして使用する態様である。視聴装置２０には、ＣＤ／ＤＶＤ／ＢＤドライブ３４は不要である。
【００２６】
図３に、本実施形態における編集処理のフローチャートを示す。まず、未開封記録媒体１０を開封し（Ｓ１０１）、記録媒体１２を編集装置１６のＣＤ／ＤＶＤ／ＢＤドライブ３４に装着する（Ｓ１０２ａ）。ＣＰＵ４４は、装着された記録媒体１２から各曲の試聴データを抽出してＲＡＭ４８に保存する（Ｓ１０３ａ）。
【００２７】
一方、Ｓ１０２ａ、Ｓ１０３ａの処理と並行して、ジャケット入れのプラスチックケース１４を編集装置１６のスキャナ３２に装着し（Ｓ１０２ｂ）、前面（フロント）及び背面（バック）の画像データをスキャンする（Ｓ１０３ｂ）。ＣＰＵ４４は、スキャンして得られた画像データから画像ＩＤを生成してＲＡＭ４８に保存する（Ｓ１０４ｂ）。
【００２８】
以上のようにして、同一記録媒体１０から視聴用データと画像ＩＤが抽出及び生成されてＲＡＭ４８に保存されるので、次に、ＣＰＵ４４はこれらの画像ＩＤと視聴用データからパケットデータを生成し（Ｓ１０５）、サーバ１８に送信する（Ｓ１０６）。サーバ１８は、受信したパケットデータをデータベース５４に格納する（Ｓ１０７）。
【００２９】
図４に、本実施形態における視聴処理のフローチャートを示す。まず、販売店に陳列されている未開封記録媒体１０を視聴装置２０のスキャナ３２に装着する。レンタルショップの場合にはショップに陳列されている開封済みの記録媒体を視聴装置２０のスキャナ３２に装着すればよい（Ｓ２０１）。スキャナ３２は、装着された記録媒体のジャケットの前面（フロント）及び背面（バック）の画像データをスキャンする（Ｓ２０２）。ＣＰＵ４４は、スキャンして得られた画像データから画像ＩＤを生成して（Ｓ２０３）、サーバ１８に送信する（Ｓ２０４）。
【００３０】
サーバ１８は、視聴装置２０から受信した画像ＩＤを検索キーとしてデータベース５４を検索し、パケットデータ内の画像ＩＤと照合する（Ｓ２０５）。そして、画像ＩＤが一致する場合には（Ｓ２０６でＹＥＳ）、当該パケットデータ内の視聴用データを視聴装置２０に返信する。視聴装置２０は、サーバ１８から受信した視聴用データを再生して視聴の用に供する（Ｓ２０７）。一方、照合の結果、一致するパケットデータが存在しない場合には、サーバ１８はその結果を視聴装置２０に返信する。視聴装置２０は、例えば「現在視聴できません。」などのメッセージをディスプレイ５２に表示する。
【００３１】
本実施形態では、ジャケットの前面（フロント）及び背面（バック）の画像データから画像ＩＤを生成するが、画像データから何らかの識別情報を生成する技術として任意の技術を用いることが可能である。以下では、いくつかの方法を示す。
【００３２】
図５に、画像ＩＤ生成処理のフローチャートを示す。また、図６に、図５のフローチャートの各ステップにおける処理の様子を示す。まず、既述したように、ジャケットの前面（フロント）及び背面（バック）の画像データをスキャンして取得する（Ｓ３０１）。
【００３３】
次に、スキャンした画像データに座標系を設定する（Ｓ３０２）。座標系は、例えば図６（ａ）のように、ジャケットの前面の左上隅を座標の原点とする２次元直交座標系（ＸＹ座標系）とする。
【００３４】
次に、座標系を設定した画像データに複数のポインタを設定する（Ｓ３０３）。ポインタ１００は、例えば図６（ｂ）のように、ＸＹ座標系の格子点とすることができる。ポインタの位置は任意に設定することができる。
【００３５】
次に、設定したポインタのＸＹ座標系における座標値（Ｘ，Ｙ）を記憶する（Ｓ３０４）。例えば、図６（ｃ）のように、ポインタ１は（Ｘ１，Ｙ１）、ポインタ２は（Ｘ２，Ｙ２）、ポインタ３は（Ｘ３，Ｙ３）、・・・の如くである。図においては、合計ｎ個のポインタが設定されている。
【００３６】
次に、各ポインタ１〜ｎにおける画像データの色階調をＲＧＢの３色に分解して記憶する。各色は、例えば０〜２５５の２５６階調で表現する。ポインタ１のＲ成分は１２６、Ｇ成分は４０、Ｂ成分は２００等である。図６（ｄ）に、各ポインタの色成分を例示する。
【００３７】
各ポインタにおけるＲＧＢ成分を記憶した後、これらのポインタ１〜ｎの座標と色成分の組み合わせとして画像ＩＤを生成する（Ｓ３０６）。すなわち、ＩＤ１としてポインタ１の座標（Ｘ１，Ｙ１）と色成分（Ｒａ１，Ｇｂ１，Ｂｃ１）の組み合わせとして
ＩＤ１＝（Ｘ１，Ｙ１，Ｒａ１，Ｇｂ１，Ｂｃ１）
とし、同様にＩＤ２としてポインタ２の座標（Ｘ２，Ｙ２）と色成分（Ｒａ２，Ｇｂ２，Ｂｃ２）の組み合わせとして
ＩＤ２＝（Ｘ２，Ｙ２，Ｒａ２，Ｇｂ２，Ｂｃ２）
となる。そして、ジャケットの前面（フロント）の画像データに対しては各ＩＤの先頭に０を付し、ジャケットの背面（バック）の画像データに対しては各ＩＤの先頭に１を付す。以上により、ジャケットの前面の画像データに対して、
ＩＤ１＝（０，Ｘ１，Ｙ１，Ｒａ１，Ｇｂ１，Ｂｃ１）
ＩＤ２＝（０，Ｘ２，Ｙ２，Ｒａ２，Ｇｂ２，Ｂｃ２）
・・
ＩＤｎ＝（０，Ｘｎ，Ｙｎ，Ｒａｎ，Ｇｂｎ，Ｂｃｎ）
が生成され、ジャケットの背面の画像データに対して、
ＩＤ１＝（１，Ｘ１，Ｙ１，Ｒａ１，Ｇｂ１，Ｂｃ１）
ＩＤ２＝（１，Ｘ２，Ｙ２，Ｒａ２，Ｇｂ２，Ｂｃ２）
・・
ＩＤｎ＝（１，Ｘｎ，Ｙｎ，Ｒａｎ，Ｇｂｎ，Ｂｃｎ）
が生成される。これら合計２ｎのＩＤデータ群が画像ＩＤとして生成され、視聴用データと関連付けられたパケットデータとしてサーバ１８に送信される。サーバ１８における照合は、ジャケットの前面画像データのＩＤ同士及び背面画像データのＩＤ同士の照合を同時若しくはシーケンシャルに行う。ジャケットの前面画像データのＩＤ同士の照合は必ずしもシーケンシャルでなくてもよく、ランダムで行ってもよい。すなわち、まずＩＤ２同士を照合し、次にＩＤ４同士を照合し、次にＩＤ１同士を照合する等である。そして、ジャケットの前面画像及び背面画像を合わせた合計２ｎのＩＤデータ群のうち、所定数以上のＩＤが一致する場合に両者は一致すると判定する。例えば、合計２ｎのＩＤデータ群のうち、その８割が一致する場合に両者が一致、すなわちデータベース５４に記憶された画像ＩＤと視聴装置２０から送信された画像ＩＤが一致する場合、視聴装置２０から送信された画像ＩＤに対応する視聴用データを視聴装置２０に返信する。
【００３８】
図７及び図８に、画像ＩＤ作成処理の他のフローチャート及び説明図を示す。まず、ジャケットの前面画像及び背面画像をスキャンする（Ｓ４０１）。次に、スキャンして得られた画像データのピクセル数より画素ブロックを生成する（Ｓ４０２）。図８（ａ）に、画素ブロック２００の一例を示す。
【００３９】
次に、作成した各画素ブロックに番地（アドレス）を付与する（Ｓ４０３）。番地の付与は任意の順序でよい。図８（ｂ）に、番地付け順序の一例を示す。一列目は左から右へ、二列目は右から左へ、三列目は左から右へ順次番地１，２，３，・・・を付けていく。
【００４０】
次に、各画素ブロックの色ヒストグラムを抽出して記憶する（Ｓ４０４）。画素ブロック１の色ヒストグラムをＢＬＫ１（）、画素ブロック２の色ヒストグラムをＢＬＫ２（）等とする。なお、（）内はヒストグラム値である。
【００４１】
次に、１個の画素ブロックと隣接する８個の画素ブロックより１つの色ヒストグラムＩＤを生成してＩＤを生成する（Ｓ４０５）。そして、１個の画素ブロックを順次所定の順序で移動させて同様の処理を繰り返し、ＩＤ群を生成する。例えば、図８（ｃ）のセンターブロックに着目すると、このセンターブロックに隣接する合計８個の隣接ブロックが存在し、センターブロックを図中矢印方向に順次移動させることで、
ＩＤ１＝ＢＬＫ１（）＋ＢＬＫ２（）＋・・・ＢＬＫｍ（）
・・
ＩＤｋ＝ＢＬＫｆ（）＋・・・ＢＬＫｉ（）＋・・・ＢＬＫｊ（）
が生成される。なお、ジャケットの前面画像データには各ＩＤの前に０を付し、背面画像データには各ＩＤの前に１を付す。サーバ１８における照合は既述したとおりである。すなわち、前面画像データのＩＤ同士を比較するとともに背面画像データのＩＤ同士を比較する。そして、全ＩＤ数のうち所定数以上のＩＤが一致する場合に両者、すなわちデータベース５４に記憶された画像ＩＤと視聴装置２０から送信された画像ＩＤが一致すると判定し、視聴装置２０から送信された画像ＩＤに対応する視聴用データを視聴装置２０に返信する。
【００４２】
本実施形態では、ジャケットの前面画像及び背面画像のいずれも用いて画像ＩＤを生成しているが、例えばレンタルショップ等、店の記録媒体の陳列方法に合わせて、記録媒体のレーベル面画像、もしくはジャケットの前面画像のみを用いて画像ＩＤを生成してもよい。但し、前面画像及び背面画像のいずれも用いた場合においても、記録媒体レーベル面画像を用いて画像ＩＤを生成する場合においても、スキャン時の位置合わせを行えるようにするのが好ましい。
【００４３】
また、本実施形態では画像ＩＤを生成する際に画像データの色成分あるいは色ヒストグラムを用いているが、輝度成分あるいは輝度ヒストグラムを用いてもよい。
【００４４】
さらに、本実施形態はＣＤ等の音楽データを記録する記録媒体のみならず、ＤＶＤ、ＢＤ等の映像データを記録する記録媒体にも同様に用いることができる。
【００４５】
図９に、映像データを記録する記録媒体を視聴（試写）する場合の編集処理のフローチャートを示す。視聴（試写）処理のフローチャートは図４と同様である。
【００４６】
まず、記録媒体を開封し（Ｓ５０１）、開封した記録媒体を編集装置１６のＣＤ／ＤＶＤ／ＢＤドライブ３４に装着する（Ｓ５０２ａ）。ＣＤ／ＤＶＤ／ＢＤドライブ３４は、装着されたＤＶＤもしくはＢＤを再生する。ＣＰＵ４４は、再生された記録媒体のタイトル情報を確認するとともにディスプレイ５２に表示する（Ｓ５０３ａ）。
【００４７】
次に、ＣＰＵ４４は、予めハードディスクドライブ３０等に格納されたインターネット検索エンジンを立ち上げて（Ｓ５０４ａ）、タイトル情報をインターネット検索エンジンにペーストし、当タイトルの特典映像（トレーラ）の該当ウェブサイトを検索する（Ｓ５０５ａ）。もちろん、Ｓ５０４ａ及びＳ５０５ａの処理は、操作者が操作部３８を操作してＣＰＵ４４に指令することで実行してもよい。そして、インターネットに特典映像があるか否かを判定し（Ｓ５０６ａ）、特典映像を検索できた場合には特典映像を提供するＨＰアドレス情報を抽出して一次記憶する（Ｓ５０７ａ）。一方、特典映像が検索できない場合には、記録媒体のストリームデータを確認し（Ｓ５０８ａ）、ストリームデータより試写用シャッフルデータを作成する（Ｓ５０９ａ）。
【００４８】
また、記録媒体をＣＤ／ＤＶＤ／ＢＤドライブ３４に装着することと並行して、ジャケット入れのプラスチックケースを編集装置１６のスキャナ３２に装着する（Ｓ５０２ｂ）。スキャナ３２は、ジャケットの前面及び背面の画像データをスキャンし（Ｓ５０３ｂ）、図５〜図８に示した方法で画像ＩＤを生成して一次記憶する（Ｓ５０４ｂ）。もちろん、記録媒体のレーベル面画像データ、もしくはジャケットの前面画像データのみをスキャンしてもよい。
【００４９】
次に、ＣＰＵ４４は、画像ＩＤとＨＰアドレス情報、あるいは画像ＩＤと試写データを組み合わせてパケットデータを生成し（Ｓ５１０）、サーバ１８に送信する（Ｓ５１１）。サーバ１８は、受信したパケットデータをデータベース５４に格納する（Ｓ５１２）。
【００５０】
視聴時（試写時）には、顧客は視聴装置２０のスキャナに記録媒体を装着する。視聴装置２０は画像ＩＤを生成してサーバ１８に送信する。サーバ１８から画像ＩＤに対応するＨＰアドレス情報が返信された場合、そのＨＰアドレス情報を用いてインターネットに接続し、当該ＨＰのトレーラを再生する。また、試写データが返信された場合、当該試写データを再生する。
【００５１】
以上説明したように、本実施形態では記録媒体のレーベル面画像、もしくは記録媒体のジャケットの画像データを用いて識別情報（ＩＤ）を生成することで視聴を可能とするものであり、バーコードが付与されていないレンタルショップに陳列されている記録媒体、もしくは輸入盤でも簡易に視聴することができる。
【図面の簡単な説明】
【００５２】
【図１】実施形態のシステム構成図である。
【図２】実施形態の編集装置（あるいは視聴装置）の構成ブロック図である。
【図３】編集処理のフローチャートである。
【図４】視聴処理のフローチャートである。
【図５】画像ＩＤ生成処理フローチャートである。
【図６】画像ＩＤ生成説明図である。
【図７】画像ＩＤ生成処理の他のフローチャートである。
【図８】画像ＩＤ生成の他の説明図である。
【図９】編集処理の他のフローチャートである。
【符号の説明】
【００５３】
１６  編集装置、１８  サーバ、２０  視聴装置。
【図１】
2010140376.tif 000003
【図２】
2010140376.tif 000004
【図３】
2010140376.tif 000005
【図４】
2010140376.tif 000006
【図５】
2010140376.tif 000007
【図６】
2010140376.tif 000008
【図７】
2010140376.tif 000009
【図８】
2010140376.tif 000010
【図９】
2010140376.tif 000011